(57)【要約】【課題】本発明は、円弧運動での展開・収納を特徴とする前方での身体支持具に関して、展開・収納に必要な動作を簡略化すると共に、多用な便所の室内構造に対応しつつ、収納スペースをコンパクトにまとめる事を以て、身体が必ずしも意のままにならない者にとっての用便時の難を除く事を課題とする。【解決手段】本発明は上記課題を解決するために、スライド軸（２）上の適当な点と、肘かけ（４）上の適当な点との間に、補助アー厶（６）を両端ピン支持で取り付ける構造を採る。本発明の設置については、端末具（１２）を介してスライド軸（２）と平行に専用の取付軸（１）を設け、任意の位置で取付軸（１）と固定される取付具（１１）によって、便所内の側方壁面、又は、床若しくは天井から張り出させた剛体に設置する。尚、取付軸（１）とスライド軸（２）は、それぞれの軸心を以て回転し、任意の角度で固定し得るように端末具（１２）と接続する。【選択図】　　　　　　図１
2004105721.tif 000002
【特許請求の範囲】
【請求項１】
円弧運動での展開・収納を特徴とする身体支持具において、肘かけの円弧運動を補助アームを用いて制約する機構を特徴とする、用便及び関連動作の際の身体支持具。
【請求項２】
請求項１記載の身体支持具において、肘かけの回転軸上にトイレットペーパーホルダーを取り付けた身体支持具。
【請求項３】
請求項１記載の身体支持具において、スライド軸に固定された捻れ止め凹、及びスライダーに固定された捻れ止め凸とを組み合わせて成る捻れ止め機構、又は前記凹凸を入れ換えた捻れ止め機構を備えた身体支持具。
【請求項４】
請求項１記載の身体支持具において、スライド軸と取付軸とがそれぞれ各自の軸心で回転し得、且つ任意の角度で固定し得るように端末具を介して連結した、肘かけ水平位置調整機構を備えた身体支持具。
【請求項５】
請求項１記載の身体支持具において、肘かけの回転軸中に回転規制機構を備えた身体支持具。
【請求項６】
請求項１記載の身体支持具において、スライド軸又は取付軸の一端であって、肘かけ収納時の可動脚に近い側の一端に、回転運動によって可動脚を抱き込み肘かけの遊動を防ぐ、Ｕ字状の遊動防止機構を備えた身体支持具。
【発明の詳細な説明】
【技術分野】
【０００１】本発明は、便所室内で用いる可動式の身体支持具に関するものである。
【背景技術】
【０００２】従来、便座の左右に手摺りを設置する技術が知られている。しかし用便においては、前傾姿勢を採って適度な腹圧を与える事が望ましい。ところが、足腰の弱い高齢者などにとって、側方に設置された手摺りにつかまりながら前傾姿勢を採るのは不都合である。【０００３】又、前方での身体支持具については、前方が壁面である事を前提としたり、単純円弧運動で動くため広い収納空間を要求したり（実登３０７３５２１）、展開・収納する際に両腕を用いて腰をひねる動作を必要とする（実登３０８１６１５）ものであった。
【発明の開示】
【発明が解決しようとする課題】
【０００４】本発明は、円弧運動での展開・収納を特徴とする前方での身体支持具に関して、展開・収納に必要な動作を簡略化すると共に、多用な便所の室内構造に対応しつつ、収納スペースをコンパクトにまとめる事を以て、身体が必ずしも意のままにならない者にとっての用便時の難を除く事を課題とする。
【課題を解決するための手段】
【０００５】本発明は上記課題を解決するために、スライド軸（２）上の適当な点と、肘かけ（４）上の適当な点との間に、補助アーム（６）を両端ピン支持で取り付ける構造を採る。【０００６】本発明の設置については、端末具（１２）を介してスライド軸（２）と平行に専用の取付軸（１）を設け、任意の位置で取付軸（１）と固定される取付具（１１）によって、便所内の側方壁面、又は、床若しくは天井から張り出させた剛体に設置する。尚、取付軸（１）とスライド軸（２）は、それぞれの軸心を以て回転し、任意の角度で固定し得るように端末具（１２）と接続する。
【発明の効果】
【０００７】本発明では、肘かけ（４）を押す（又は引く）だけで、肘かけ（４）が回転軸（３１）を中心に回転移動すると同時に、補助アーム（６）が支障となる事によってスライダー（３）が手前に（又は前方に）押し出されるため、肘かけの収納（又は展開）に必要な動作が単純化されると共に、肘かけ装置全体の収納空間を小さくまとめる事ができる。具体的に前者からは、肘かけの収納・展開を片手で単純に行える事から、足腰などに対する無理な負担が軽減され、高齢者などの副次的な事故を抑える効果が期待できる。後者については、狭い便所にも設置できる事を意味する。【０００８】肘かけ（４）を押すだけでスライダー（３）が手前に押し出されるという前記の構造より、スライダーに固定されているトイレットペーパーホルダー（３２）も必然的に手前に押し出されるため、手許に近づいて利用しやすくなる。【０００９】肘かけ（４）の一端が依拠するスライド軸（２）と、取付具（１１）が固定される取付軸（１）とを分離し、それらを端末具（１２）が両端ピン支持で連結する事によって、取付具（１１）から身体支持具展開時の可動脚（５）までの水平距離を調整する事ができる。これにより、左右壁面間距離の各戸での違いを個別的に吸収する事が可能となる。【００１０】又、スライド軸（２）はそれに沿ってスライダーが摺動するため、スライド軸中央部にこれを妨害する機構を設ける事はできない。従って、支持具全体をスライド軸によって設置しようとすると、取付具はスライド軸の両端に設けねばならず、加えて設置の際に便所壁面の間柱の位置を考慮するとスライド軸は更に長いものとなる。本発明では、専用の取付軸（１）を備えたため任意の位置に取付具（１１）を固定する事ができ、スライド軸（２）の長さひいては支持具全体の長さを抑える事ができる。【００１１】実施例３のような回転規制機構を設けると、一定以上の荷重を掛かて肘かけ（４）につかまるだけで、肘かけ（４）が僅かに沈み込み、回転規制体（９１、９２）が噛み合って肘かけ（４）の回転を止めるため、利用者の突然のふらつき等にも無理なく対応する事が可能となる。【００１２】実施例５のように補助アーム（６）を円弧状、又はＳ字状にすると、本支持具の可動部で誤って指などを挟む事故を防ぐ事ができる。そもそも指を挟む危険があるのは肘かけ（４）を閉じる収納時であるが、具体的には鉛直方向に近接した肘かけ（４）と補助アーム（６）、又は補助アーム（６）とスライド軸（２）とによって挟む可能性である。本実施例は、本発明が肘かけ（４）に手や腕を置く事を想定している点に配慮して、可能性の高い前者の危険防止を主眼としている。図１３のように、補助アーム（６）が直線状の場合、収納の過程において肘かけ（４）と補助アーム（６）とがちょうど鋏の刃のように迫ってくる事が判る。これは、肘かけ（４）を深くつかんでいるときや、腕を置いて指を垂らしているときなどに危険である。一方、補助アーム（６）が曲線状の場合、補助アー厶（６）の全部、又は一部が壁寄りのポケットを形成しているため、収納が完了してもなお空間が残り、指を挟む危険を排除している。【００１３】実施例６のような遊動防止機構を設けると、本支持具が不要なときには、肘かけ（４）が不安定に開閉することを防止することができる。尚、この目的は、磁石や吸盤などで仮り止めすることによっても達せられるが、本実施例は、収納時の肘かけ（４）に、あたかも壁に固定された手摺りのようにつかまってもふらつかない重厚さと、一転、肘かけ（４）を展開したいときには手間取らない機敏さとを両立させたアイディアである。
【実施例１】
【００１４】図１のように本発明支持具を、取付軸（１）上を摺動して任意の位置で取付軸（１）と固定される取付具（１１）によって、便所内の側方壁面に設置する。更に、端末具（１２）を介して取付軸（１）と平行にスライド軸（２）を有し、スライド軸（２）に沿って摺動するスライダー（３）に回転軸（３１）を設ける。この回転軸（３１）に肘かけ（４）をピン支持で取り付け、回転軸（３１）上にはトイレットペーパーホルダー（３２）を備え付け、肘かけ（４）の他端にはキャスター（５１）のついた可動脚（５）を立てる。その上で、スライダー（３）よりも便座から遠い側にあるスライド軸（２）上の適当な点と、肘かけ（４）上の適当な点との間に、補助アーム（６）を両端ピン支持で取り付ける。又、スライダー（３）の摺動範囲の両端となるスライド軸（２）上の適当な位置に、スライダーストッパー（２１）を一つづつ設け、便座に近い側のスライダーストッパー（２１）に筒状をした捻れ止め凹（２２）を取り付け、この捻れ止め凹（２２）の穴を通した捻れ止め凸（２３）の一端をスライダーに固定する。
【実施例２】
【００１５】実施例１のままでは、上から体重を掛かる場合には良いが、不意によろめいた際など横から荷重が掛かると、肘かけ（４）は収納方向に回転してしまうため、支持具として物足りないが、スライダー（３）の摺動を制限する摺動規制機構を備える事によって安全性が高まる。これを図１０に沿って説明する。磁性体（８２）と摩擦体（８４）をそれぞれ両端に取り付けた摺動規制具（８３）を電磁石（８１）と組み合わせる。摺動規制具（８３）は、摩擦体（８４）をスライド軸（２）に当てる向きで、弾性体（８５）を介して空洞の回転軸（３１）に通し、電磁石（８１）は空洞の回転軸（３１）に固定する。これらを摺動規制部キャップ（８６）で覆う。更に、図９のように肘かけ（４）上の操作しやすい位置にスイッチ（８７）を設け、電磁石（８１）と配線してこれを制御する機構とする。【００１６】実施例２の機構を更に説明すると、電磁石（８１）がオフの時は、弾性体（８５）によって摺動規制具（８３）がスライド軸（２）から遠ざかる方向に押され、スライダー（３）は摺動可能な状態となり、電磁石（８１）がオンの時は、磁性体（８２）が電磁石（８１）に吸着する事によって摺動規制具（８３）がスライド軸（２）に近づく方向に動き、摩擦体（８４）がスライド軸（２）に押しつけられてスライダー（３）の摺動を規制する。尚、電磁石（８１）は常時オンとし、スイッチ（８７）が作動している間のみオフとする方が安全上、望ましい。
【実施例３】
【００１７】摺動規制機構に依るほか、回転を直接制限する事によっても実施例２と同様の効果を期待できる。この回転規制機構は、図１１のように、スライダー（３）に固定された回転規制体甲（９１）と、肘かけ（４）に固定された回転規制体乙（９２）とを対面する向きに設け、平時は回転規制体甲（９１）と回転規制体乙（９２）とが噛み合わないように、スライダー（３）と肘かけ（４）との間に弾性体（９４）を挟む機構とする。
【実施例４】
【００１８】実施例１、実施例２又は実施例３において、図１２のように肘かけ（４）の断面形状を丁字状、又は工字状に加工する。指が懸かり、滑り止めとなるので安全性が高まる。
【実施例５】
【００１９】実施例１、実施例２又は実施例３において、図１３のように補助アーム（６）を円弧状、又はＳ字状にする。こうすると、本支持具の可動部で誤って指などを挟んでしまう事故を防ぐ事ができるので安全性が高まる。
【実施例６】
【００２０】実施例１、実施例２又は実施例３において、図１４のように肘かけ（４）の遊動防止機構を設ける。具体的には、図１５のように、可動脚（５）に接触しない程度に壁側に逃げた形状を有する遊動防止体甲（７１）に、遊動防止体回転軸（７３）を介してＵ字状の遊動防止体乙（７２）を取り付け、これらをシャフト（７４）へ固定する。このシャフト（７４）を、スライド軸（２）又は取付軸（１）の一端であって、収納時の可動脚（５）に近い側の管状の一端に通し、軸方向距離を調節して、ビス等で締め付ける。【００２１】いま、遊動防止体乙（７２）において、遊動防止体回転軸（７３）に近い側の端部を舌（７５）、遠い側の端部を耳（７６）と呼ぶことにする。肘かけ（４）の収納時には、まず可動脚（５）は舌（７５）に接触し、そのままこれを押して遊動防止体乙（７２）を回転させ、すっぽりと抱き込まれる形になる。ここで遊動防止体乙（７２）が回転するのは、可動脚（５）と舌（７５）との接点から遊動防止体回転軸（７３）に至る直線と、可動脚（５）に働く力のベクトルとが垂直に近い角度で交わるからである。一方、肘掛け（４）の展開時には、可動脚（５）は逆に耳（７６）を押す方向に力を掛ける。しかし、可動脚（５）と耳（７６）との接点から遊動防止体回転軸（７３）に至る直線と、力のベクトルとが平行に近い角度で交わるため、遊動防止体乙（７２）は回転せず、むしろ鉤に似た形状のために可動脚（５）を引き留めるのである。なお、利用者が直接、耳（７６）に便座方向への軽い力を掛けることで、遊動防止体乙（７２）が可動脚（５）から外れ、収納時の逆の動きで舌（７５）が可動脚（５）を難なく押し出す。
【図面の簡単な説明】
【００２２】
【図１】　展開時の本発明支持具の斜視図
【図２】　収納時の本発明支持具の斜視図
【図３】　補助アーム取付例
【図４】　展開時の本発明支持具の正面図
【図５】　展開時の本発明支持具の平面図
【図６】　収納中の本発明支持具の平面図
【図７】　収納時の本発明支持具の平面図
【図８】　肘かけ水平位置調整後の本発明支持具の正面図
【図９】　摺動規制機構を備えた本発明支持具の正面図
【図１０】　摺動規制部の断面図
【図１１】　回転規制部の断面図
【図１２】　肘かけ実施例の断面図
【図１３】　補助アーム実施例の平面図
【図１４】　肘かけの遊動防止機構周辺の平面図
【図１５】　肘かけの遊動防止機構実施例の平面図
【符号の説明】
【００２３】１　　取付軸　　　　　　　　　　　　　　　７１　遊動防止体甲
１１　取付具　　　　　　　　　　　　　　　７２　遊動防止体乙
１２　端末具　　　　　　　　　　　　　　　７３　遊動防止体回転軸
２　　スライド軸　　　　　　　　　　　　　７４　シャフト
２１　スライダーストッパー　　　　　　　　７５　舌
２２　捻れ止め凹　　　　　　　　　　　　　７６　耳
２３　捻れ止め凸　　　　　　　　　　　　　８１　電磁石
３　　スライダー　　　　　　　　　　　　　８２　磁性体
３１　回転軸　　　　　　　　　　　　　　　８３　摺動規制具
３２　トイレットペーパーホルダー　　　　　８４　摩擦体
４　　肘かけ　　　　　　　　　　　　　　　８５　弾性体
４１　緩衝体　　　　　　　　　　　　　　　８６　摺動規制部キャップ
５　　可動脚　　　　　　　　　　　　　　　８７　スイッチ
５１　キャスター　　　　　　　　　　　　　９１　回転規制体甲
６　　補助アーム　　　　　　　　　　　　　９２　回転規制体乙
　　　　　　　　　　　　　　　　　　　　　９３　回転材
　　　　　　　　　　　　　　　　　　　　　９４　弾性体
【図１】
2004105721.tif 000003
【図２】
2004105721.tif 000004
【図３】
2004105721.tif 000005
【図４】
2004105721.tif 000006
【図５】
2004105721.tif 000007
【図６】
2004105721.tif 000008
【図７】
2004105721.tif 000009
【図８】
2004105721.tif 000010
【図９】
2004105721.tif 000011
【図１０】
2004105721.tif 000012
【図１１】
2004105721.tif 000013
【図１２】
2004105721.tif 000014
【図１３】
2004105721.tif 000015
【図１４】
2004105721.tif 000016
【図１５】
2004105721.tif 000017